(57)【要約】【課題】  室内機の外観を損なわない信号受信装置および信号受信装置を備えた空気調和装置を提供すること。【解決手段】  リモートコントローラから発せられた赤外線による信号を受信する赤外線受信装置（信号受信装置）において、ケーシング内に設けられた基板６と、該基板６に設けられた運転スイッチ（押しボタン式スイッチ）７と、前記基板６の前面側に位置し、赤外線を通過させる赤外線通過孔（信号通過孔）１１を備える揺動板部２０と、前記揺動板部２０を二つの異なる位置で揺動自在に支持する二つのベンド部１３，１４とを備え、前記揺動板部２０が前面側から押されることで前記ベンド部１３，１４が撓み前記揺動板部２０が運転スイッチ７を押圧する。【選択図】      図１
2005328356.tif 000002
【特許請求の範囲】
【請求項１】
リモートコントローラから発せられた信号を受信する信号受信装置において、
ケーシング内に設けられた基板と、該基板に設けられた押しボタン式スイッチと、前記基板の前面側に位置し、信号を通過させる信号通過孔を備え前後方向に揺動自在に支持された揺動板部と、該揺動板部を二つの異なる位置で揺動自在に支持する二つのベンド部とを備え、
前記揺動板部が前面側から押されることで前記ベンド部が撓み前記揺動板部が前記押しボタン式スイッチを押圧することを特徴とする信号受信装置。
【請求項２】
前記基板に信号を受信する受光器および／または信号を送信する送信器が設けられ、
前記信号通過孔の上部に対して、前記基板上の前記受光器および／または前記送信器が臨んでいることを特徴とする請求項１に記載の信号受信装置。
【請求項３】
前記ベンド部の一つにより、前記揺動板部は下方を支点として揺動自在に支持されていることを特徴とする請求項１または２に記載の信号受信装置。
【請求項４】
前記揺動板部は前記ベンド部の一つによって左右のいずれか一方側で支持され、
前記基板の前記一方側に信号を受信する受光器が設けられ、同他方側に信号を送信する送信器が設けられていることを特徴とする請求項１から３のいずれかに記載の信号受信装置。
【請求項５】
前記揺動板部の前面側に信号を透過する受光カバーが前記揺動板部と別体で設けられていることを特徴とする請求項１から４のいずれかに記載の信号受信装置。
【請求項６】
冷媒と室内空気との間で熱交換を行う室内熱交換器を備えた室内機と、冷媒と室外空気との間で熱交換を行う室外熱交換器および冷媒を圧縮し吐出する圧縮機を備えた室外機とを有する空気調和装置において、
前記室内機に、請求項１から５のいずれかに記載の信号受信装置が設けられていることを特徴とする空気調和装置。
【発明の詳細な説明】
【技術分野】
【０００１】
本発明は、室内の空調を行うための空気調和装置に関し、特にリモートコントローラからの信号を受信する信号受信装置に関する。
【背景技術】
【０００２】
空気調和装置は、一般に室内に設けられた室内機と、室外に設けられた室外機とにより構成されている。空気調和装置の運転指令手段として、室内機に赤外線受信装置を設け、赤外線を発するリモートコントローラ（以下「リモコン」という。）を利用者が操作することにより、遠隔的に室内機に運転指令を与える。また、室内機から室温や運転状況等の空調情報をリモコンに送信し、リモコンに設けられた表示部に空調情報を表示することも行われている。
このような遠隔操作を実現するために、室内機本体には赤外線受信装置が設けられている。この赤外線受信装置は、赤外線受光器に加え、赤外線送信器を備えている。さらに、室内機本体には運転状況を表示するＬＥＤ（発光ダイオード）が設けられたディスプレイ基板が設けられている。室内機のケーシングには、赤外線を内部に入射させることができるように赤外線を透過する受光カバーが設けられている。そして、この受光カバーの内側には、赤外線受光器と送信器とが位置するようになっている。
【特許文献１】特開平９−１３４６４２号公報
【発明の開示】
【発明が解決しようとする課題】
【０００３】
このような空気調和装置において、ユーザがリモコンを紛失した場合、リモコンが故障した場合等、リモコンを用いない場合でも空気調和装置を作動・停止させることができるように、強制運転スイッチを室内機本体に設けておく必要がある。
しかし、ディスプレイ基板に運転スイッチを配置した場合、運転状況を知らせるＬＥＤ等に並んで運転スイッチ部が露出してしまい、デザイン性を損ねてしまうという問題があった。
【０００４】
本発明は上記事情に鑑みてなされたものであり、室内機の外観を損なわない信号受信装置および信号受信装置を備えた空気調和装置を提供することを目的とする。
【課題を解決するための手段】
【０００５】
本発明においては上記の課題を解決するために以下の手段を採用した。
請求項１に記載の発明は、リモートコントローラから発せられた信号を受信する信号受信装置において、ケーシング内に設けられた基板と、該基板に設けられた押しボタン式スイッチと、前記基板の前面側に位置し、信号を通過させる信号通過孔を備え前後方向に揺動自在に支持された揺動板部と、前記揺動板部を二つの異なる位置で揺動自在に支持する二つのベンド部とを備え、前記揺動板部が前面側から押されることで前記ベンド部が撓み前記揺動板部が前記押しボタン式スイッチを押圧することを特徴とする。
【０００６】
本発明によれば、揺動板部が二つのベンド部で支持されているから、揺動板部が押圧されてベンド部が撓む際に、揺動板部が移動する軌道が一意に定まる。そして揺動板部が押しボタン式スイッチを確実に押圧する。
【０００７】
請求項２に記載の発明は、請求項１に記載の信号受信装置において、前記基板に信号を受信する受光器および／または信号を送信する送信器が設けられ、前記信号通過孔の上部に対して、前記基板上の前記受光器および／または前記送信器が臨んでいることを特徴とする。
【０００８】
本発明では、送信器・受光器の送受光範囲がより下方に位置することとなる。したがって室内の下方に位置するリモコンからの信号は受光器に到達しやすくなり、室内の上方に位置する照明器具からの光は信号通過孔を通過しにくくなる。これにより受信障害が回避される。また送信器からの信号がリモコンに到達しやすくなる。
【０００９】
請求項３に記載の発明は、請求項１または２に記載の信号受信装置において、前記ベンド部の一つにより、前記揺動板部は下方を支点として揺動自在に支持されていることを特徴とする。
【００１０】
本発明によれば、ベンド部により揺動板部が下方を回動中心として傾くから、揺動板部が押された状態では信号通過孔の開口上縁及び下縁の高さがわずかに下に下がった状態となる。したがって基板に設けられた信号を送受信する送信器および受光器の送受信範囲がさらに下方に広がる。
【００１１】
請求項４に記載の発明は、請求項１から３のいずれかに記載の信号受信装置において、前記揺動板部は前記ベンド部の一つによって左右のいずれか一方側で支持され、前記基板の前記一方側に信号を受信する受光器が設けられ、同他方側に信号を送信する送信器が設けられていることを特徴とする。
【００１２】
揺動板部が押されて前記押しボタン式スイッチに接近すると、信号通過孔も基板に近づく。このため、送受光範囲が広くなる。左右方向の一方側を支点として揺動板部が基板に近づくから、他方側の方がより基板に接近し、送受光範囲は広くなる。したがってスイッチが押された状態では同他方側に位置する送信器からの送信角度をより広くすることができ、信号をリモコンに送信しやすくなる。
【００１３】
請求項５に記載の発明は、請求項１から４のいずれかに記載の信号受信装置において、前記揺動板部の前面側に信号を透過する受光カバーが前記揺動板部と別体で設けられていることを特徴とする。
【００１４】
本発明によれば、ユーザは受光カバーを押し、受光カバーが揺動板部を押すことで押しボタン式スイッチが押される。このように受光カバーと揺動板部とが別体であるから、受光カバーを硬い素材により構成することができ、ユーザの力加減の影響を受けにくくなると共に受光カバー自体は撓まないから揺動板部を確実に決められた軌道に沿って動かすことができる。また受光カバーのサイズ（デザイン）に関わらず信号通過孔による受光範囲を調整することができる。
【００１５】
請求項６に記載の発明は、冷媒と室内気との間で熱交換を行う室内熱交換器を備えた室内機と、冷媒と室外気との間で熱交換を行う室外熱交換器および冷媒を圧縮し吐出する圧縮機を備えた室外機とを有する空気調和装置において、前記室内機に請求項１から５のいずれかに記載の信号受信装置が設けられていることを特徴とする。
【００１６】
本発明によれば、室内機に設けられた信号受信装置の揺動板部が二つのベンド部で支持されているから、揺動板部が押圧されてベンド部が撓む際に、揺動板部が移動する軌道が一意に定まる。
【発明の効果】
【００１７】
本発明においては以下の効果を奏する。
請求項１に記載の発明によれば、押しボタン式スイッチが信号受信装置に統合されるから、外観を損なうことがない。また揺動板部の軌道が一意に定まるから、確実に押しボタン式スイッチを押すことが可能となる。
また信号受信装置自体に押しボタン式スイッチが設けられているから、省スペースとすることができる。
請求項２に記載の発明によれば、送受信範囲が下方に広がるから送受信性能を向上させることができる。
請求項３に記載の発明によれば、ベンド部により揺動板部が下方を回動中心として傾くから、揺動板部が押された状態では信号を送受信する送信器および受光器の送受光範囲が下方に広がり、送受光性能を向上させることができる。
請求項４に記載の発明によれば、スイッチが押された状態で送信器からの送信角度が広くなるから、信号をリモコンに送信しやすくなる。
請求項５に記載の発明によれば、受光カバーと揺動板部とが別体であるから、揺動板部を確実に決められた軌道に沿って動かすことができる。また受光カバーのサイズ（デザイン）に関わらず信号通過孔による受光範囲を調整することができる。
請求項６に記載の発明によれば、押しボタン式スイッチを信号受信装置に統合することができるから、室内機の外観を損なうことがない。また信号受信装置の揺動板部が二つのベンド部で支持され、揺動板部の軌道が一意に定まるから、確実に押しボタン式スイッチを押すことが可能となる。
また信号受信装置自体に押しボタン式スイッチが設けられているから、省スペースとすることができる。
【発明を実施するための最良の形態】
【００１８】
次に本発明の一実施形態について図面を参照して説明する。
図１は本実施形態に係る赤外線受信装置（信号受信装置）を示した斜視図、図２は赤外線受信装置を備えた空気調和装置の室内機１の外観である。本赤外線受信装置は、冷媒と室内空気との間で熱交換を行う室内熱交換器を備えた室内機１と、冷媒と室外空気との間で熱交換を行う室外熱交換器および冷媒を圧縮し吐出する圧縮機を備えた室外機とを有する空気調和装置において、前記室内機１に備えられるものである。
図２において、符号３は室内機１のケーシング２の前面下部に設けられた受光カバーである。図３に示したように、受光カバー３は室内機１とリモコン４とが相互に赤外線（信号）Ｓを送受信する際に赤外線が通過する窓となるものである。また、受光カバー３は室内の照明器具５等からの光による受信妨害を回避するために余分な周波数域をある程度カットするバンドパスフィルタである。
【００１９】
図１の符号６は基板であり、運転スイッチ（押しボタン式スイッチ）７、赤外線を送信する送信器８、および赤外線を受信する受光器９を備えている。符号１０は基板６の手前側（室内側）に設けられるフロントパネルである。このフロントパネル１０には、赤外線通過孔（信号通過孔）１１および運転スイッチ押し部１２が設けられ、ベンド部１３，１４により支持された揺動板部２０を備えている。ベンド部１３，１４が撓むことで揺動板部２０が傾き、運転スイッチ押し部１２が運転スイッチ７を押すようになっている。
フロントパネル１０の手前側には受光カバー３が設けられ、さらに受光カバー３の手前側にケーシング２の一部をなすディスプレイプレート１５が設けられる。ディスプレイプレート１５には開口１５ａが設けられており、開口１５ａには受光カバー３に設けられた突部３ａが嵌め込まれる。
これら基板６，フロントパネル１０，受光カバー３、およびディスプレイプレート１５が組み合わされて設置されている。
【００２０】
次にフロントパネル１０の構造について詳細に説明する。
図４に示したものはフロントパネル１０を背後から見た斜視図である。図のように、フロントパネル１０は前面側が受光カバー３と接触する揺動板部２０と、フロントパネル本体２１と、揺動板部２０をフロントパネル本体２１に支持するベンド部１３，１４と、揺動板部２０の後面に設けられたスイッチ押し部１２とを備えている。これら揺動板部２０，フロントパネル本体２１、ベンド部１３，１４、およびスイッチ押し部１２は一体に形成されている。
ベンド部１３は、揺動板部２０を前面から見た場合（図１参照）に揺動板部２０の左下方にて基端がフロントパネル本体２１に固定され、先端がスイッチ押し部１２に固定されている。各ベンド部１４は揺動板部２０の右側部にて揺動板部２０をフロントパネル本体２１に片持ち支持している。ベンド部１３，１４は素材の可撓性によって撓み、撓むことで揺動板部２０が前後方向に移動することができるようになっている。
なお、ベンド部１３は揺動板部２０の上方でフロントパネル本体２１に固定されていてもよいし、ベンド部１４を揺動板部の左側部に設けてもよい。しかしながらベンド部１３の基端を揺動板部２０の下方でフロントパネル本体２１に固定することにより、揺動板部２０が下縁を中心として回動する。これにより運転スイッチ７が押された状態で後述のように送信器８および受光器９の送受信範囲を下方に広げることができる。
【００２１】
スイッチ押し部１２は、正面から見た場合に揺動板部２０の左上隅に設けられ後方に延びている。後方の先端には、平坦面１２ａを備え（図４参照）、この平坦面１２ａで運転スイッチ７が押されるようになっている。なお平坦面１２ａを十分に広く取ることにより、運転スイッチ７と平坦面１２ａの多少の位置ずれを吸収できるようにしておく。
【００２２】
揺動板部２０の赤外線通過孔１１と送信器８・受光器９の位置関係は、図５のように、送信器８・受光器９が赤外線通過孔１１の上部に対して臨むように位置している。
送信器８・受光器９が赤外線通過孔１１の高さ方向中央に位置している場合は、送受光範囲がＡとなり、本実施形態の場合は送受光範囲はＢで示したように下方に広がると共に上方の通過領域は制限される。したがって、上方に位置する照明器具５からの光は受光器９に到達しにくくなり、リモコン４からの赤外線は受光器９に到達しやすくなる。また送信器８から発せられる赤外線の到達範囲も下方に広がる。また図１のように受光器９はベンド部１４側（正面から見て右側）に設けられ、送信器８は左側に設けられている。
【００２３】
次に本赤外線受信装置の動作について説明する。
空気調和装置の運転時においては、受光カバー３および赤外線通過孔１１を通ってリモコン４から発せられた赤外線が受光器９に受信され、不図示の増幅アンプに到達して運転指令が与えられる。また送信器８から発せられた赤外線がリモコン４に受信されることで、リモコン４が備える不図示の表示部に室温、外気温、湿度、エラー表示、または消費電力量等の運転情報が表示される。
【００２４】
ユーザがリモコンを紛失した場合、リモコンが故障した場合等、リモコンを用いない場合は、指で受光カバー３を押すことで強制運転が行われる。
指で受光カバー３を押すとベンド部１３，１４が撓み、これらベンド部１３，１４が支点となって図６のように揺動板部２０が後方に移動し、スイッチ押し部１２の平坦面１２ａが運転スイッチ７を押す。
【００２５】
このとき、ベンド部１３，１４が揺動板部２０の右と下で揺動板部２０を支持しているので、スイッチ押し部１２の軌道は一意に定まる。
これに対して、横のベンド部１４のみで揺動板部２０を支持すると、スイッチ押し部１２が上下にずれてしまう。その理由は次の通りである。受信カバー３は、受信範囲を左右方向に広く取るために横方向に長くなっており、これに伴い揺動板部２０も横方向に長い寸法となっている。このような状況の下で、揺動板部２０が撓むことができるようにフロントパネル１０は可撓性を有する素材（ポリスチレン）とされている。したがって、ベンド部１４による片持ち支持だけでは左端部が上下にぶれやすくなってしまう。本実施形態では、これを回避するために、下のベンド部１３によって揺動板部２０の上下のずれを防止するようになっている。
【００２６】
また、本実施形態では、下のベンド部１３を中心に回動するので、撓んだ状態では、図７のように送信器８及び受光器９による送受信範囲が広くなる。ベンド部１３により揺動板部２０が下方を回動中心として傾くから、運転スイッチ７が押された状態では赤外線通過孔１１の開口上縁及び下縁の高さがわずかに下に下がった状態となる。したがって同図のように送信器８および受光器９の送受信範囲が下方に広がる。また、このとき送信器８がよりたわみの大きい方（ベンド部１４から遠い側）に位置しているから、送信範囲がより下方に広がり、リモコン４への情報送信がより確実に行われる。
【００２７】
このように、本実施形態の赤外線受信装置を備えた空気調和装置では、運転スイッチ７が赤外線受光装置に設けられており、受光カバー３によって外観が隠された状態となっている。ユーザに対しては受光カバー３がリモコン４の受光窓であるとともに、運転スイッチ７のボタンとして機能する。したがってデザインを損なうことが無く、また別途運転スイッチ７を露出するためのスペースをケーシングに設ける必要がないから、省スペースとすることができる。
また、ベンド部１３，１４が２個所設けられているから、揺動板部２０が回動する際のスイッチ押し部１２の軌道は一意に定まる。したがって揺動板部２０に設けられたスイッチ押し部１２は確実に運転スイッチ７を押圧する。
また、フロントパネル１０の揺動板部２０が２個所のベント部１３、１４で片持ちされているから、一個所のみの場合と比較して射出成形後に離型しやすい。
【００２８】
また、受光カバー３と揺動板部２０とが別体であるから、受光カバーを硬い素材で構成可能である。例えば高純度ポリスチレン、スチレンメタフリル共重合樹脂等により形成される。すなわち受光カバー３自体は湾曲しないため、揺動板部を確実に決められた軌道に沿って動かすことができる。また受光カバー３のサイズ（デザイン）に関わらず赤外線通過孔１１による受光範囲を調整することができる。したがって受光カバー３のデザインの自由度が高まり、また揺動板部２０のサイズを大きくすることできるから撓み量を大きく取ることができ、より確実に運転スイッチ７を押圧することができる。
【００２９】
なお上記に示した赤外線受信装置を適用できる機器は、空気調和装置に限定されないのは言うまでもない。
また押しボタン式スイッチとして運転スイッチ７の例を示したが、これに限らず他の機能を有するスイッチであってもよい。
【図面の簡単な説明】
【００３０】
【図１】本発明の一実施形態として示した空気調和装置の室内機が備える赤外線受信装置を示した分解斜視図である。
【図２】同室内機の外観斜視図である。
【図３】空気調和装置の室内機とリモコンとの関係について示した図である。
【図４】フロントパネルの形状について示した斜視図である。
【図５】赤外線通過孔と送信器、受光器の位置関係を示した側断面図である。
【図６】フロントパネルの動きと運転スイッチを押すボタン押し部との関係を示した図である。
【図７】フロントパネルの動きと赤外線通過孔の状態について示した図である。
【符号の説明】
【００３１】
３  受光カバー
４  リモートコントローラ
６  基板
７  運転スイッチ（押しボタン式スイッチ）
８  送信器
９  受光器
１０  フロントパネル
１１  赤外線通過孔（信号通過孔）
１２  スイッチ押し部
１３  ベンド部
１４  ベンド部
１５  ディスプレイプレート
２０  揺動板部
【図１】
2005328356.tif 000003
【図２】
2005328356.tif 000004
【図３】
2005328356.tif 000005
【図４】
2005328356.tif 000006
【図５】
2005328356.tif 000007
【図６】
2005328356.tif 000008
【図７】
2005328356.tif 000009